【手続補正書】
【提出日】平成16年4月15日(2004.4.15)
【手続補正１】
【補正対象書類名】特許請求の範囲
【補正対象項目名】請求項４
【補正方法】変更
【補正の内容】
【請求項４】
使用される遷移金属錯体触媒が、式（ＶＩ）または（ＶＩＩ）
Ｌ１−Ｒ１２      （ＶＩ）
Ｌ１−Ｑ−Ｌ２      （ＶＩＩ）
［式中、Ｌ１およびＬ２は互いに独立して、式（ＶＩＩＩ）〜（ＸＩＩ）
【化１】
2004537588.tif 000001
の配位基を示し、その際、
Ｒ５〜Ｒ９はそれぞれ互いに独立して、水素、（Ｃ１〜Ｃ２４）−アルキル、（Ｃ２〜Ｃ２４）−アルケニル、（Ｃ２〜Ｃ２４）−アルキニル、（Ｃ５〜Ｃ１０）−アリール、ＣＦ３、ＣＯ−アルキル−（Ｃ１〜Ｃ８）、ＣＯ−アリール−（Ｃ５〜Ｃ１０）、ＣＮ、ＣＯＯＨ、ＣＯＯＭ、ＣＯＯ−アルキル−（Ｃ１〜Ｃ８）、ＣＯＯ−アリール−（Ｃ５〜Ｃ１０）、Ｃ（＝Ｎ−アルキル−（Ｃ１〜Ｃ８））Ｏ−アルキル−（Ｃ１〜Ｃ８）、Ｃ（＝Ｎ−アリール−（Ｃ５〜Ｃ１０））（Ｏ−アルキル−（Ｃ１〜Ｃ８））、Ｃ（＝Ｎ−アルキル−（Ｃ１〜Ｃ８））（Ｏ−アリール−（Ｃ５〜Ｃ１０））、Ｃ（＝Ｎ−アリール−（Ｃ５〜Ｃ１０））（Ｏ−アリール−（Ｃ５〜Ｃ１０））、ＣＯＮＨ２、ＣＯＮＨ−アルキル−（Ｃ１〜Ｃ８）、ＣＯＮ（アルキル−（Ｃ１〜Ｃ８））２、ＣＯＮＨ−アリール−（Ｃ５〜Ｃ１０）、ＣＯＮ（アリール−（Ｃ５〜Ｃ１０））２、ＰＯ（アリール−（Ｃ５〜Ｃ１０））２、ＰＯ（アルキル−（Ｃ１〜Ｃ４））２、ＰＯＨ（アルキル−（Ｃ１〜Ｃ６））、ＰＯＨ（アリール−（Ｃ５〜Ｃ１０））、ＰＯ（アルキル−（Ｃ１〜Ｃ４））（Ｏ−アルキル−（Ｃ１〜Ｃ６））、ＰＯ（アルキル−（Ｃ１〜Ｃ６））（Ｏ−アリール−（Ｃ５〜Ｃ１０））、ＰＯ（アリール−（Ｃ５〜Ｃ１０））（Ｏ−アルキル−（Ｃ１〜Ｃ６））、ＰＯ３Ｈ２、ＰＯ３Ｍ２、ＰＯ（Ｏ−アルキル−（Ｃ１〜Ｃ６））２、ＰＯ（Ｏアリール−（Ｃ５〜Ｃ１０））２、ＰＯ（Ｏ−アルキル−（Ｃ１〜Ｃ６））（Ｏ−アリール−（Ｃ５〜Ｃ１０））、ＳＯ３Ｈ、ＳＯ３Ｍ、ＳＯ３−アルキル−（Ｃ１〜Ｃ４）、ＳＯ３−アリール−（Ｃ５〜Ｃ１０）、ＳＯ２−アルキル−（Ｃ１〜Ｃ６）、ＳＯ２−アリール−（Ｃ５〜Ｃ１０）、ＳＯ−アルキル−（Ｃ１〜Ｃ８）、ＳＯ−アリール−（Ｃ５〜Ｃ１０）、Ｓ−アルキル−（Ｃ１〜Ｃ８）、Ｓ−アリール−（Ｃ５〜Ｃ１０）、ＳＨ、Ｓｉ（アルキル−（Ｃ１〜Ｃ８））３、Ｓｉ（Ｃ１〜Ｃ１０−アルキル／Ｃ５〜Ｃ１０−アリール）３、ＮＯ２、Ｆ、Ｃｌ、Ｂｒ、Ｉ、Ｏ−アルキル−（Ｃ１〜Ｃ８）、Ｏ−アリール−（Ｃ５〜Ｃ１０）、ＯＨ、ＮＨ２、ＮＨ（アルキル−（Ｃ１〜Ｃ８））、Ｎ（アルキル−（Ｃ１〜Ｃ８））２、ＮＨ（アリール−（Ｃ５〜Ｃ１０））、ＮＨＣＯ−アルキル−（Ｃ１〜Ｃ４）、ＮＨＣＯ−アリール−（Ｃ５〜Ｃ１０）、ＮＨＣＯＯ−アルキル−（Ｃ１〜Ｃ４）、ＮＨＣＯＯ−アリール−（Ｃ５〜Ｃ１０）、ＯＣＯ−アルキル−（Ｃ１〜Ｃ８）、ＯＣＯ−アリール−（Ｃ５〜Ｃ１０）、ＯＰＯ（アリール−（Ｃ５〜Ｃ１０））２、ＯＰＯ（アルキル−（Ｃ１〜Ｃ４））２、ＯＰＯＨ（アルキル−（Ｃ１〜Ｃ６））、ＯＰＯ３Ｈ２、ＯＰＯ３Ｍ２、ＯＰＯアルキル−（Ｃ１〜Ｃ４）（Ｏ−アルキル−（Ｃ１〜Ｃ６）），ＯＰＯ（Ｏ−アルキル−（Ｃ１〜Ｃ６））２、ＯＰＯ（Ｏアリール−（Ｃ５〜Ｃ１０））２、ＯＳＯ３Ｈ、ＯＳＯ３Ｍ、ＯＳＯ２−ＣＦ３、ＯＳＯ３−アルキル−（Ｃ１〜Ｃ４）、ＯＳＯ３−アリール−（Ｃ５〜Ｃ１０）、ＯＳＯ２−アルキル−（Ｃ１〜Ｃ６）、ＯＳＯ２−アリール−（Ｃ５〜Ｃ１０）から選択され、その際、ＭはカチオンＬｉ＋、Ｎａ＋、Ｋ＋、Ｍｇ２＋、Ｃａ２＋、ＮＨ４＋、Ｎ（Ｃ１〜Ｃ１０−アルキル）４＋、Ｎ（Ｃ１〜Ｃ１０−アルキル／Ｃ５〜Ｃ１０−アリール）４＋を示し、かつ、
その際、基Ｒ１０〜Ｒ１２は、それぞれ互いに独立して、水素、（Ｃ１〜Ｃ２４）−アルキル、（Ｃ２〜Ｃ２４）−アルケニル、（Ｃ２〜Ｃ２４）−アルキニル、（Ｃ５〜Ｃ８）シクロアルケニル、（Ｃ５〜Ｃ１４）−アリール、Ｏ−アルキル−（Ｃ１〜Ｃ８）、Ｏ−アリール−（Ｃ５〜Ｃ１４）、Ｏ−アルケニル−（Ｃ２〜Ｃ２４）、Ｏ−アルキニル−（Ｃ２〜Ｃ２４）、Ｏ−シクロアルケニル−（Ｃ５〜Ｃ８）、Ｏ−アリール−（Ｃ５〜Ｃ１４）、Ｆ、ＮＨ２、ＮＨ（アルキル−（Ｃ１〜Ｃ８））、ＮＨ−アルケニル−（Ｃ２〜Ｃ２４）、ＮＨ−アルキニル−（Ｃ２〜Ｃ２４）、ＮＨ−シクロアルケニル−（Ｃ５〜Ｃ８）、ＮＨ−アリール−（Ｃ５〜Ｃ１４）、Ｎ（アルキル−（Ｃ１〜Ｃ８））２、Ｎ（アルケニル−（Ｃ２〜Ｃ２４））２、Ｎ（アルキニル−（Ｃ２〜Ｃ２４））２、Ｎ（シクロアルケニル−（Ｃ５〜Ｃ８））２、Ｎ（アルキル−（Ｃ１〜Ｃ８））（アリール−（Ｃ５〜Ｃ１０））、Ｎ（アリール−（Ｃ５〜Ｃ１０））２、ＮＨＣＯ−アルキル−（Ｃ１〜Ｃ４）、ＮＨＣＯ−アルケニル−（Ｃ２〜Ｃ２４）、ＮＨＣＯ−アルキニル−（Ｃ２〜Ｃ２４）、ＮＨＣＯ−シクロアルケニル−（Ｃ５〜Ｃ８）、ＮＨＣＯ−アリール−（Ｃ５〜Ｃ１４）、ＯＣＯ−アルキル−（Ｃ１〜Ｃ４）、ＯＣＯ−アルケニル−（Ｃ２〜Ｃ２４）、ＯＣＯ−シクロアルケニル−（Ｃ５〜Ｃ８）、ＯＣＯ−アリール−（Ｃ５〜Ｃ１４）、ＳＯ２−アルキル−（Ｃ１〜Ｃ６）、ＳＯ２−アリール−（Ｃ５〜Ｃ１０）−基を示していれもよく、かつ、前記のすべての置換基は、それぞれモノ−またはポリ−置換されていてもよく、その際、２個の隣接した基は一緒になって、３〜１５個の原子を有する飽和または不飽和の炭素環基またはヘテロ環基を形成し、その際、１〜４個の窒素、リン、ケイ素、硫黄または酸素原子を有していてもよく、かつ、
Ｑは、単位Ｌ１と単位Ｌ２との架橋結合を示し、この場合、これは、式（ＸＩＩＩ）：
Ｘ１−Ｚ−Ｘ２      （ＸＩＩＩ）
を示し、その際、式中、
Ｘ１およびＸ２は、互いに独立して、直接結合または基−Ｏ−、−Ｓ−または−ＮＲ１３−を示し、その際、Ｒ１３は、Ｒ１０−Ｒ１２に関して定義された基の１個であってもよく、かつ、
Ｚは直接結合または単結合または多重結合によって結合された１〜１６個の炭素原子の基であってもよく、その際、１〜４個の炭素原子はヘテロ原子によって置換されていてもよく、ＺはＲ５〜Ｒ９に示されているように、モノ−置換またはポリ−置換されていてよいか、あるいはケト−（＝Ｏ）、チオケト−（＝Ｓ）またはイミド置換基（＝ＮＲ１４）を有していてもよく、その際、Ｒ１４は、Ｒ１０〜Ｒ１２に関して定義された基の１個であってもよく、かつ、その際、単位Ｌ１とＲ１２、およびＬ１またはＬ２とＱとの２つが一緒になって結合し、３〜１５個の原子を有する飽和または不飽和の炭素環骨格、または１〜４個の窒素原子、リン原子、ケイ素原子、硫黄原子または酸素原子を含有する飽和または不飽和のヘテロ環骨格を形成する］の少なくとも１個の単座または２座のリガンドを含む、請求項１から３までのいずれか１項に記載の方法。
【手続補正２】
【補正対象書類名】特許請求の範囲
【補正対象項目名】請求項８
【補正方法】変更
【補正の内容】
【請求項８】
リガンドとして、ＤＡＩＰＥＮ、ＢＩＮＡＰ、Ｄｎａｅｌｎｄ、ｄｐｐｂ、ｄｃｙｐｂ、（Ｒ，Ｒ）−ＤＩＰＡＭＰ；（Ｒ）−Ｎｏｒｐｈｏｓ；（Ｒ，Ｒ）−ＣＨＩＲＡＰＨＯＳ；（Ｒ，Ｒ）−ＤＥＧＵＰＨＯＳ；（Ｒ）−ＣｙＧａｎｔｅｒＰｈｏｓ；（Ｒ，Ｒ）−Ｍｅ−ＤＵＰＨＯＳ；（Ｒ，Ｒ）−Ｅｔ−ＤＵＰＨＯＳ；（Ｒ，Ｒ）−Ｍｅ−ＢＰＥ；（Ｒ，Ｒ）−Ｅｔ−ＢＰＥ；（Ｒ）−ビス（ＭｅＰｈｅＰ）ベンゼン；（Ｒ）−ＰＲＯＰＨＯＳ；（Ｒ，Ｒ）−ＳＫＥＷＰＨＯＳ；（Ｓ）−Ｐｈｏｓ４；（Ｒ，Ｓ）−Ｃｙ−Ｆｃ−ｅｔｄｐｐ；（Ｒ，Ｓ）−Ｃｙ−Ｆｃ−ｅｔｄＣｙＰ；（Ｒ，Ｓ）−Ｐｈ−Ｆｃ−ｅｔｄｔＢｕＰ；（Ｒ，Ｓ）−ＪＯＳＩＰＨＯＳ；（Ｒ）−カルボキシブチル−ＢＩＮＡＰ；（Ｒ）−ＢＩＮＡＰ；（Ｒ）−Ｔｏｌ−ＢＩＮＡＰ（（Ｒ−２，２’−ビス（ジ−ｐ−トルイルホスフィノ）−１，１’−ビナフチル）；（Ｒ）−ＭｅＯ−ＢＩＰＨＥＰ；（Ｒ）−ｐ−Ｔｏｌ−ＭｅＯ−ＢＩＰＨＥＰ；（Ｓ，Ｓ）−１，２−（ＢＤＰＰメチル）−シクロヘキサン；（Ｓ，Ｓ）−ＤＩＯＰ；（Ｓ）−ＭＯＤ−ＤＩＯＰ；（Ｒ）−ＭｅＡＡＰＨＯＳ；（Ｓ，Ｓ）−ＢＰＰＭ−Ｈ；（Ｓ，Ｓ）−ＢＰＰＭ；（Ｒ，Ｒ）−フェニル−ＣＡＰＰ；（Ｒ）−ＮＡＰＨＯＳ；Ｐｈ−β−Ｇｌｕｐ；Ｐｈ−β−Ｇｌｕｐ−ＯＨ；（フェニル−２，３−ビス（Ｏ−ジフェニルホスフィノ）−β−Ｄ−グルコピラノシド）；ＤＰＯＥ；（Ｒ，Ｒ）−ｂｄｐｃｈ；（Ｒ，Ｒ）−ＣＹＬＯＰＰ−２−Ｍｅ；（Ｒ，Ｒ）−ＣＹＣＬＯＰＰ−４−ＣＦ３；（Ｒ，Ｒ）−ＣＹＣＬＯＰＰ−３，５−Ｃｌ；（Ｒ，Ｒ）−ＣＹＣＬＯＰＰ−３，５−ＣＦ３；（Ｒ，Ｒ）−ＣＹＣＬＯＰＰ−３，５−Ｆ；ＣＡＲＢＯＰＨＯＳ−３，５−Ｍｅ２Ｐｈ；ＧＬＵＣＯＰＨＯＳ−Ｐｈ−３，５−Ｍｅ；Ｒ−ＰＯＰ−Ｂｚ；（Ｒ，Ｓ）−Ｐｈｏ３；（Ｓ）−ＣｙＣｙ−ＯｘｏＰＲＯＮＯＰ；（Ｓ）−Ｃｙ，Ｃｙ−ＰＲＯＮＯＰ；（Ｓ）−ＣｙＣｙｉｓｏＡＬＡＮＯＰ；（Ｒ）−ＰＲＯＰＲＡＰＨＯＳ；ＰＲＯＰＲＡＨＯＳ−アナログ（Ｒ）−Ｃｙｐ−ＰＰＰ；（Ｒ）−ＰＮ−Ｐｈ；（Ｓ）−ＰＮ−ｉＰｒ；（Ｓ）−ＰＮ−ｉＰｒ−Ｍｅ；（Ｓ）−ＰＮ−ｔＢｕ；（Ｒ）−ＱＵＩＮＡＰ；（Ｒ，Ｒ）−（Ｓ，Ｓ）−ＥｔＴＲＡＰの群から選択された化合物を使用する、請求項１から７までのいずれか１項に記載の方法。
【手続補正３】
【補正対象書類名】特許請求の範囲
【補正対象項目名】請求項１３
【補正方法】変更
【補正の内容】
【請求項１３】
式（Ｉ）
【化２】
2004537588.tif 000002
のカルボニル化合物と、式（ＩＩ）
【化３】
2004537588.tif 000003
のアンモニア、第１級アミンまたは第２級アミンとを反応させることによって、式（ＩＩＩ）
【化４】
2004537588.tif 000004
［式中、Ｒ１〜Ｒ４は、互いに独立して、水素、（Ｃ１〜Ｃ２４）−アルキル、（Ｃ２〜Ｃ２４）−アルケニル、（Ｃ２〜Ｃ２４）−アルキニル、（Ｃ５〜Ｃ１０）−アリール、ＣＦ３、ＣＨＯ、ＣＯ−アルキル−（Ｃ１〜Ｃ８）、ＣＯ−アリール−（Ｃ５〜Ｃ１０）、ＣＯＯ−アルキル−（Ｃ１〜Ｃ８）、ＣＯＯ−アリール−（Ｃ５〜Ｃ１０）、Ｃ（＝Ｎ−アルキル−（Ｃ１〜Ｃ８））Ｏ−アルキル−（Ｃ１〜Ｃ８）、Ｃ（＝Ｎ−アリール−（Ｃ６〜Ｃ１０））Ｏ−アルキル−（Ｃ１〜Ｃ８）、Ｃ（＝Ｎ−アルキル−（Ｃ１〜Ｃ８））Ｏ−アリール−（Ｃ５〜Ｃ１０）、Ｃ（＝Ｎ−アリール−（Ｃ５〜Ｃ１０））Ｏ−アリール−（Ｃ５〜Ｃ１０）、ＣＯＮＨ２、ＣＯＮＨアルキル−（Ｃ１〜Ｃ８）、ＣＯＮ（アルキル−（Ｃ１〜Ｃ８））２、ＣＯＮＨアリール−（Ｃ５〜Ｃ１０）、ＣＯＮ（アリール−（Ｃ５〜Ｃ１０））２、ＰＯ（アリール−（Ｃ５〜Ｃ１０））２、ＰＯ（アルキル−（Ｃ１〜Ｃ４））２、ＰＯ（アルキル−（Ｃ１〜Ｃ４））（Ｏ−アルキル−（Ｃ１〜Ｃ６））、ＰＯ（アルキル−（Ｃ１〜Ｃ６））（Ｏ−アリール−（Ｃ５〜Ｃ１０））、ＰＯ（アリール−（Ｃ５〜Ｃ１０））（Ｏ−アルキル−（Ｃ１〜Ｃ６））、ＰＯ（Ｏ−アルキル−（Ｃ１〜Ｃ６））２、ＰＯ（Ｏ−アリール−（Ｃ５〜Ｃ１０））２、ＰＯ（Ｏ−アルキル−（Ｃ１〜Ｃ６））（Ｏ−アリール−（Ｃ５〜Ｃ１０））、ＳＯ２−Ｏアルキル−（Ｃ１〜Ｃ４）、ＳＯ２−Ｏ−アリール−（Ｃ５〜Ｃ１０）、ＳＯ２−アルキル−（Ｃ１〜Ｃ６）、ＳＯ２−アリール−（Ｃ５〜Ｃ１０）、ＳＯ−アルキル−（Ｃ１〜Ｃ８）、ＳＯ−アリール−（Ｃ５〜Ｃ１０）またはＳｉ（アルキル−（Ｃ１〜Ｃ８））３、Ｓｉ（Ｃ１〜Ｃ１０−アルキル／Ｃ５〜Ｃ１０−アリール）３であり、その際、Ｍはカチオン、たとえば、Ｌｉ＋、Ｎａ＋、Ｋ＋、Ｍｇ２＋、Ｃａ２＋、ＮＨ４＋、Ｎ（Ｃ１〜Ｃ１０−アルキル）４＋、Ｎ（Ｈ／Ｃ１〜Ｃ１０−アルキル／Ｃ６〜Ｃ１０−アリール）４＋を示すか、および／または
Ｒ１〜Ｒ２は互いに独立して、基ＣＨ（Ｏ−アルケン−（Ｃ２〜Ｃ８）−Ｏ）、Ｃ（Ｏ−アルケン−（Ｃ２〜Ｃ８）−Ｏ−）−アルキル−（Ｃ１〜Ｃ８）、Ｃ（Ｏ−アルケン−（Ｃ２〜Ｃ８）−Ｏ−）−アリール−（Ｃ５〜Ｃ１０）、ＣＨ（Ｏ−アルキル−（Ｃ１〜Ｃ８））２、Ｃ（Ｏ−アルキル−（Ｃ１〜Ｃ８））２−アルキル−（Ｃ１〜Ｃ８）、Ｃ（Ｏ−アルキル−（Ｃ１〜Ｃ８））２−アリール−（Ｃ５〜Ｃ１０）、ＣＨＯ、ＣＮ、ＣＯＯＨ、ＣＯＯＭ、ＰＯＨ（アルキル−（Ｃ１〜Ｃ６））、ＰＯＨ（アリール−（Ｃ５〜Ｃ１０）、ＰＯ３Ｈ２、ＰＯ３Ｍ２、ＳＯ３Ｈ、ＳＯ３Ｍであり、その際、Ｍはカチオン、たとえば、Ｌｉ＋、Ｎａ＋、Ｋ＋、Ｍｇ２＋、Ｃａ２＋、ＮＨ４＋、Ｎ（Ｃ１〜Ｃ１０−アルキル）４＋、Ｎ（Ｈ／Ｃ１〜Ｃ１０−アルキル／Ｃ６〜Ｃ１０−アリール）４＋）を示し、および／または
Ｒ３およびＲ４は、互いに独立して、Ｏ−アルキル−（Ｃ１〜Ｃ８）、Ｏ−アリール−（Ｃ５〜Ｃ１０）、フッ素、ＯＨ、ＮＨ２、ＮＨ（アルキル−（Ｃ１〜Ｃ８））、Ｎ（アルキル−（Ｃ１〜Ｃ８））２、ＮＨ（アリール−（Ｃ５〜Ｃ１０））、ＮＨＣＯ−アルキル−（Ｃ１〜Ｃ４）、ＮＨＣＯ−アリール−（Ｃ５〜Ｃ１０）、ＮＨＣＯＯ−アルキル−（Ｃ１〜Ｃ８）、ＮＨＣＯＯ−アリール−（Ｃ５〜Ｃ１０）の群から選択することができ、
その際、アルキルは、非分枝または分枝の脂肪族基または環式基を示し、アルケニルは、オレフィン系炭化水素を示し、アルキニルは、アセチレン系炭化水素を示し、かつ、アリール基は芳香族基を示し、その際、それぞれ４個までの炭素原子は窒素原子、リン原子、ケイ素原子、硫黄原子または酸素原子によって置換されていてもよく、かつ、その際、Ｒ１およびＲ２と同様にＲ３およびＲ４は、共有結合によって結合されていてもよく、これによって、Ｒ１およびＲ２、Ｒ３およびＲ４さらにはＲ１およびＲ３は、それぞれ、３〜１５個の原子を有する飽和または不飽和の炭素環単位またはヘテロ環単位を形成してもよく、その際、１〜４個の窒素原子、リン原子、ケイ素原子、硫黄原子または酸素原子を有する］の化合物を形成する、請求項１から１２までのいずれか１項に記載の方法。
【手続補正４】
【補正対象書類名】特許請求の範囲
【補正対象項目名】請求項１４
【補正方法】変更
【補正の内容】
【請求項１４】
アルキル基、アルケニル基、アルキニル基、アリール基、ヘテロシクロアルキル基およびヘテロアリール基が、好ましい置換基として、水素原子に加えて、（Ｃ１〜Ｃ２０）−アルキル、（Ｃ２〜Ｃ２０）−アルケニル、（Ｃ１〜Ｃ１０）−ハロアルキル、（Ｃ３〜Ｃ８）−シクロアルキル、（Ｃ５〜Ｃ８）−シクロアルケニル、（Ｃ２〜Ｃ９）−ヘテロシクロアルキル、（Ｃ１〜Ｃ９）−ヘテロシクロアルケニル、（Ｃ５〜Ｃ１４）−アリール、（Ｃ２〜Ｃ１３）−ヘテロアリールであり、その際、Ｎ、Ｏ、Ｓから選択されたヘテロ原子の数は１〜４個であってもよく、フッ素、塩素、臭素、ヨウ素、ＯＨ、ＮＯ２、ＣＦ３、Ｏ−アルキル−（Ｃ１〜Ｃ８）、Ｏ−アリール−（Ｃ５〜Ｃ１０）、ＯＣＯ−アルキル−（Ｃ１〜Ｃ８）、ＯＣＯ−アリール−（Ｃ５〜Ｃ１０）、ＮＨ２、ＮＨ（アルキル−（Ｃ１〜Ｃ８））、ＮＨ（アリール−（Ｃ５〜Ｃ１０））、Ｎ（アルキル−（Ｃ１〜Ｃ８））２、Ｎ（アリール−（Ｃ５〜Ｃ１０））２、ＮＨＣＯ−アルキル−（Ｃ１〜Ｃ８）、ＮＨＣＯ−アリール−（Ｃ５〜Ｃ１０）、ＣＨ（Ｏ−アルケン−（Ｃ２〜Ｃ６）−Ｏ）、Ｃ（Ｏ−アルケン−（Ｃ２〜Ｃ６）−Ｏ）−アルキル−（Ｃ１〜Ｃ８）、Ｃ（Ｏ−アルケン−（Ｃ２〜Ｃ６）−Ｏ）−アリール−（Ｃ５〜Ｃ１０）、ＣＨ（Ｏ−アルキル−（Ｃ１〜Ｃ８））２、Ｃ（Ｏ−アルキル−（Ｃ１〜Ｃ８））２−アルキル−（Ｃ１〜Ｃ８）、Ｃ（Ｏ−アルキル−（Ｃ１〜Ｃ８））２−アリール−（Ｃ５〜Ｃ１０）、ＣＨＯ、ＣＯ−アルキル−（Ｃ１〜Ｃ８）、ＣＯ−アリール−（Ｃ５〜Ｃ１０）、ＣＮ、ＣＯＯＨ、ＣＯＯＭ、ＣＯＯ−アルキル−（Ｃ１〜Ｃ８）、Ｃ（＝Ｎ−アルキル−（Ｃ１〜Ｃ８））Ｏ−アルキル−（Ｃ１〜Ｃ８）、Ｃ（＝Ｎ−アリール−（Ｃ５〜Ｃ１０））Ｏ−アルキル−（Ｃ１〜Ｃ８）、Ｃ（＝Ｎ−アルキル−（Ｃ１〜Ｃ８））Ｏ−アリール−（Ｃ５〜Ｃ１０）、Ｃ（＝Ｎ−アリール−（Ｃ５〜Ｃ１０）Ｏ−アリール−（Ｃ５〜Ｃ１０）、ＣＯＮＨ２、ＣＯ−アルキル−（Ｃ１〜Ｃ８）、ＮＨＣＯＨ、ＮＨＣＯＯ−アルキル−（Ｃ１〜Ｃ４）、ＣＯ−アリール−（Ｃ５〜Ｃ１０）、ＣＯＯ−アリール−（Ｃ５〜Ｃ１０）、ＣＨＣＨ−ＣＯＯアルキル−（Ｃ１〜Ｃ８）、ＣＮ、ＣＯＯＨ、ＣＯＯＭ、ＣＨＣＨＣＯ２Ｈ、Ｐ（アリール−（Ｃ５〜Ｃ１０））２、Ｐ（アルキル−（Ｃ１〜Ｃ８））２、ＰＯ（アリール−（Ｃ５〜Ｃ１０））２、ＰＯ（アルキル−（Ｃ１〜Ｃ４））２、ＰＯ３Ｈ２、ＰＯ（アルキル−（Ｃ１〜Ｃ４））（Ｏ−アルキル−（Ｃ１〜Ｃ６））、ＰＯ（Ｏ−アルキル−（Ｃ１〜Ｃ６））２、ＯＰＯ（アリール）２−（Ｃ５〜Ｃ１０）、ＯＰＯ（アルキル）２−（Ｃ１〜Ｃ４）、ＯＰＯＨ（アルキル−（Ｃ１〜Ｃ６））、ＯＰＯ３Ｈ２、ＯＰＯ３Ｍ２、ＯＰＯ（アルキル−（Ｃ１〜Ｃ４）（Ｏ−（アルキル−（Ｃ１〜Ｃ６））、ＯＰＯ（アリール−（Ｃ５〜Ｃ１０））（Ｏ−アルキル−（Ｃ１〜Ｃ６））、ＯＰＯ（Ｏ−アルキル−（Ｃ１〜Ｃ６））２、ＯＰＯ（Ｏアリール−（Ｃ５〜Ｃ１０））２、ＳＯ３Ｈ、ＳＯ３Ｍ、ＳＯ２−Ｏ−アルキル−（Ｃ１〜Ｃ４）、ＳＯ２−Ｏ−アリール−（Ｃ５〜Ｃ１０）、ＳＯ２−アルキル−（Ｃ１〜Ｃ６）、ＳＯ２−アリール−（Ｃ５〜Ｃ１０）、ＳＯ−アルキル−（Ｃ１〜Ｃ６）、ＳＯ−アリール−（Ｃ５〜Ｃ１０）、ＯＳＯ３Ｈ、ＯＳＯ３Ｍ、ＯＳＯ２−Ｏ−アルキル−（Ｃ１〜Ｃ４）、ＯＳＯ２−アルキル−（Ｃ１〜Ｃ６）またはＳｉ（アルキル−（Ｃ１〜Ｃ８））３、Ｓｉ（Ｃ１〜Ｃ８−アルキル／Ｃ５〜Ｃ１０−アリール）３を有していてもよく、その際、Ｍは基Ｌｉ＋、Ｎａ＋、Ｋ＋、Ｍｇ２＋、Ｃａ２＋、ＮＨ４＋、Ｎ（Ｃ１〜Ｃ１０−アルキル）４＋、Ｎ（Ｈ／Ｃ１〜Ｃ１０−アルキル／Ｃ６〜Ｃ１０−アリール）４＋からのカチオンを有していてもよい、請求項１３に記載の方法。
【手続補正５】
【補正対象書類名】特許請求の範囲
【補正対象項目名】請求項１５
【補正方法】変更
【補正の内容】
【請求項１５】
アリール基の置換基が、式（ＩＶ）または（Ｖ）
【化５】
2004537588.tif 000005
［式中、ｓは１〜６の整数であり、かつ、Ｍはクロム、モリブデン、タングステン、マンガン、レニウム、鉄、コバルト、ニッケルまたはランタニウム系列からの元素を示し、かつ、
Ｒ５〜Ｒ９は同一かまたは異なって、Ｒ３〜Ｒ４に関して定義された基の１個に相当し、かつ、その際、リガンドＬ１〜Ｌｓは同一かまたは異なって、かつ５〜６個の環原子を有する環状エーテル、５〜８個の環原子を有する環状オレフィン、ピリジン、ＣＯ、ＰＦ３または式（ＶＩ）または（ＶＩＩ）のリガンドを示す］のπ−結合した金属錯体である、請求項１３に記載の方法。